(57)【要約】【課題】通気性を安定に確保できる交換レンズ鏡筒を提供。【解決手段】防水機能を有するレンズ鏡筒本体（第一の枠部材１００、第二の枠部材２００）と、このレンズ鏡筒本体に装着される枠部材（後カバー部材２６０等）と、この枠部材の一部（後カバー部材２６０等の周壁）に設けられ、前記レンズ鏡筒本体の内部と外部との間を通気可能とする開口部２６１ｂと、この開口部２６１ｂを（内側または外側から）覆うように装着され、当該開口部２６１ｂを通して空気が出入りすることを許容すると共に水滴を撥水する撥水シート２６２と、を備えたことを主たる特徴としている。【選択図】    図４
2005017376.tif 000002
【特許請求の範囲】
【請求項１】
防水機能を有するレンズ鏡筒本体と、
このレンズ鏡筒本体に装着される枠部材と、
この枠部材の一部に設けられ、前記レンズ鏡筒本体の内部と外部との間を通気可能とする開口部と、
この開口部を覆うように装着され、当該開口部を通して空気が出入りすることを許容すると共に水滴を撥水する撥水シートと、
を備えたことを特徴とする交換レンズ鏡筒。
【請求項２】
内面に空気通路を有し、前記開口部若しくは前記撥水シートを覆う保護カバーを、更に備えたことを特徴とする請求項１に記載の交換レンズ鏡筒。
【請求項３】
前記保護カバーは、前記枠部材に対し着脱自在に取付け可能であることを特徴とする請求項２に記載の交換レンズ鏡筒。
【請求項４】
前記枠部材は、前記レンズ鏡筒本体の後端部に装着される後カバー部材であることを特徴とする請求項１又は２又は３に記載の交換レンズ鏡筒。
【発明の詳細な説明】
【０００１】
【発明の属する技術分野】
本発明は、カメラにマウントされる交換レンズ鏡筒に関し、とくに防水機能つき通気手段を備えた交換レンズ鏡筒に関する。
【０００２】
【従来の技術】
一般に、ズームレンズを備えた防水機能つきカメラにおいては、ズーミングを行なうべくズームレンズ鏡筒を光軸方向に進退動作させると、それに伴いカメラの内圧が変化する。その結果、ズーミングの負荷が変動し、ズーム用モーターなどに多大な負担をかけることになる。
【０００３】
かかる問題を解決する手段として、カメラ本体の裏蓋に複数の通気孔を穿設し、これら通気孔の内面側に撥水性及び通気性を有するシート状部材を接着固定したものが知られている（特許文献１参照）。
【０００４】
【特許文献１】
特開平０５−１７３２４０号公報（段落［００１５］、図９）
【０００５】
【発明が解決しようとする課題】
特許文献１に示されている手段を用いれば、水滴の侵入を防止できる上、ズーミングに伴うカメラの内圧変化を吸収することができる。このため、ズーム用モーターなどへの負担が著しく軽減される。しかしながら特許文献１に示されているものでは、カメラ本体の裏蓋に開けられた複数の通気孔の外面が何らかの物体で覆われると、直ちに通気性が損なわれることになる。また長期間の使用によりシート状部材に塵埃等が付着すると目詰まりが生じる。しかるに上記シート状部材はカメラの裏蓋に接着固定されているため、その回復処置が非常に煩わしいと言う難点を有している。
【０００６】
本発明は、このような事情に基づいてなされたものであり、その目的は、通気性を安定に確保できる交換レンズ鏡筒を提供することにある。
【０００７】
【課題を解決するための手段】
前記課題を解決し目的を達成するために、本発明の交換レンズ鏡筒は下記のような特徴ある構成を有している。なお下記以外の特徴ある構成については実施形態の中で明らかにする。
【０００８】
本発明の交換レンズ鏡筒は、防水機能を有するレンズ鏡筒本体と、このレンズ鏡筒本体に装着される枠部材と、この枠部材の一部に設けられ、前記レンズ鏡筒本体の内部と外部との間を通気可能とする開口部と、この開口部を覆うように装着され、当該開口部を通して空気が出入りすることを許容すると共に水滴を撥水する撥水シートと、を備えたことを特徴とする。
【０００９】
【発明の実施の形態】
（第一実施形態）
図１は本発明の第一実施形態に係る交換レンズ鏡筒の概略的構成を示す図で、光軸を境として上半部分を切断して示す断面図である。図２は同実施形態に係る交換レンズ鏡筒の一部の構成を示す分解斜視図、図３は同実施形態に係る交換レンズ鏡筒の他の一部の構成を示す分解斜視図である。なお図２のＭは図３のＮにつながる。
【００１０】
図１〜図３において、符号１００は軸心部に光軸ＯＡを有する略円筒状の第一の枠部材である。この第一の枠部材１００の中空部内には、１群レンズ１１０、２群レンズ１２０、３群レンズ１３０、４群レンズ１４０が収容されている。１群レンズ１１０は、カム環１５０の回転により移動し、位置制御がなされる。また２群レンズ１２０、３群レンズ１３０、４群レンズ１４０は、カム環１５０の回転により、第一ガイドロッド１６１、第二ガイドロッド１６２（不図示）に沿って移動し、相対的な位置制御がなされる。
【００１１】
なお符号１７０はフィルタ環、１７１は１群レンズ枠、１７２は２群レンズ枠、１７３は３群レンズ枠、１７４は４群レンズ枠を示している。また符号１８０は絞り羽根、１８１は絞り駆動枠、１８２は絞り移動枠を示している。
【００１２】
図１〜図３において、符号２００は前記第一の枠部材１００の外周に嵌め込まれた第二の枠部材（固定枠）である。第一の枠部材１００と第二の枠部材２００とは、光軸方向に相対的に移動可能となっている。第一の枠部材１００は、第二の枠部材２００に装着されているズーム環２５０の回転により、光軸方向に移動して所謂ズーミング動作が行なわれる。第一の枠部材１００の外周面と第二の枠部材２００の内周面との間には、例えばゴム製の環状をなす防水部材３１０が介在している。
【００１３】
第二の枠部材２００の前端部（図１において左端部）には、前カバー部材２１０が装着されている。第二の枠部材２００の外周面上には、図１において右方向から距離環２２０、距離表示環２３０、ズーム台環２４０、ズーム環２５０、後カバー部材２６０等が順次嵌め込まれている。上記後カバー部材２６０には、防水機能付き通気手段（２６１，２６２，２６３）が備えられている。第二の枠部材２００の後端部には、上記後カバー部材２６０の外側中央部位に位置する如く、レンズマウント部材２７０がビス止めされている。
【００１４】
第二の枠部材２００の前端部と前カバー部材２１０と距離環２２０との三者接合部位には、Ｏリングからなる第一のシール部材３０１が介在している。距離環２２０と距離表示環２３０との間にはＯリングからなる第二のシール部材３０２が介在している。距離表示環２３０とズーム台環２４０のリング部２４１との間にはＯリングからなる第三のシール部材３０３が介在している。ズーム台環２４０のリング部２４１とズーム環２５０との間にはＯリングからなる第四のシール部材３０４が介在している。ズーム環２５０と後カバー部材２６０との間にはＯリングからなる第五のシール部材３０５が介在している。また後カバー部材２６０とレンズマウント部材２７０との間には、例えばゴム製の環状をなす防水リング３２０が介在している。
【００１５】
なお符号２２１は距離パルス発生用リングである。また符号２３１は距離接片、２３２は目盛り環、２３３は透明部材からなる距離表示窓である。また符号２５１はズーム接片、２５２は接片蓋、２５３はズームゴムリングである。更に符号２６１は通気用の開口部、２６２は撥水シート、２６３は保護カバーであり、これらは前記防水機能付き通気手段を構成している。符号２８０は一般にカンザと呼ばれる厚み寸法調整用のスペーサである。符号２９０はカバー後枠、２９１は防塵部材である。
【００１６】
次に前記防水機能付き通気手段について詳細に説明する。図４の（ａ）（ｂ）は、防水機能付き通気手段の構成を示す図で、第二の枠部材２００の後端部に装着される後カバー部材２６０とその周辺部位の構成を示している。（ａ）は正面図、（ｂ）は（ａ）の４ｂ−４ｂ線矢視視断面図である。
【００１７】
図４の（ａ）（ｂ）に示すように、後カバー部材２６０の周壁の１８０°異なる対称な位置には、防水機能付き通気手段２６０Ａ，２６０Ｂがそれぞれ設けられている。
【００１８】
これら防水機能付き通気手段２６０Ａ，２６０Ｂは同一構成を有している。従って以下、防水機能付き通気手段２６０Ａを例にとってその構成を説明する。後カバー部材２６０の周壁には、複数の開口部２６１が所定間隔で周方向に沿って形成されている。これらの開口部２６１のうち、中央部位及び両端部近傍の三箇所に設けられている開口部２６１ａは保護カバー取付け用の開口部であり、上記以外の複数の開口部２６１ｂはレンズ鏡筒本体の内部と外部との間を通気可能とする開口部である。上記通気用の開口部２６１ｂの内側または外側（本実施形態では外側）を覆うように、撥水シート２６２が装着されている。これらの撥水シート２６２は、いずれも多孔性四フッ化エチレン樹脂などで形成されたものであり、表裏両面間を空気が出入りすることを許容すると共に、水滴の通過を阻む非通水性を有している。
【００１９】
上記撥水シート２６１の上には保護カバー２６３が取付けてある。この保護カバー２６３は、全体が矩形状をなし且つ円弧状に湾曲している。この保護カバー２６３の内面には複数の突起部が所定間隔で長手方向に沿って形成されている。これら突起部のうち中央部位及び両端部近傍の三箇所に設けられている突起部２６３ａは取付け用のボスであり、上記以外の複数の突起部２６３ｂは空気通路形成用のリブである。上記取付け用のボス２６３ａは、前記取付け用の開口部２６１ａに着脱自在に挿入し得るものとなっている。
【００２０】
かくして上記保護カバー２６３は後カバー部材２６０に対して着脱自在に取付けられる。そして空気はリブ２６３ｂの間を空気通路として流通することになる。このため防水機能付き通気手段２６０Ａの部分が、手指その他の物体で覆われたとしても、通気性が損なわれるおそれがない。なお保護カバー２６３は撥水シート２６２の押さえ部材としても働く。このため撥水シート２６２の接着固定やビス止め等は格別必要がない。
【００２１】
（実施形態における特徴点）
［１］実施形態に示された交換レンズ鏡筒は、
防水機能を有するレンズ鏡筒本体（第一の枠部材１００、第二の枠部材２００）と、
このレンズ鏡筒本体（１００，２００）に装着される枠部材（後カバー部材２６０等）と、
この枠部材の一部（後カバー部材２６０等の周壁）に設けられ、前記レンズ鏡筒本体（１００，２００）の内部と外部との間を通気可能とする開口部２６１ｂと、
この開口部２６１ｂを（内側または外側から）覆うように装着され、当該開口部２６１ｂを通して空気が出入りすることを許容すると共に水滴を撥水する撥水シート２６２と、
を備えたことを特徴とする。
【００２２】
上記交換レンズ鏡筒においては、開口部２６１ｂを通して通気可能であるから、ズームレンズのズーミングに伴うカメラの内圧変化を吸収でき、ズームモーターなどへの負担を軽減できる。しかも撥水シート２６２の撥水作用により上記開口部２６１ｂを通して水滴等が侵入するのを防止できる。そして特に、前記通気用の開口部２６１ｂは、交換レンズ鏡筒本体（１００，２００）の後カバー部材２６０などの枠部材に対して設けられ、且つ防滴用の撥水シート２６２は、上記開口部２６１ｂを覆うように装着されるのみで、接着固定などは格別になされない。このため、開口部２６１ｂが手指その他の物体により塞がれる可能性が著しく低い。また防滴用の撥水シート２６２が目詰まりを生じたような場合、交換レンズ鏡筒の取り外し操作、撥水シート２６２の交換操作を行なうことにより、比較的簡単に対処できる。
【００２３】
［２］実施形態に示された交換レンズ鏡筒は、前記［１］に記載の交換レンズ鏡筒であって、
内面に空気通路を有し、前記開口部２６１ｂ若しくは前記撥水シート２６２を覆う保護カバー２６３を、更に備えたことを特徴とする。
【００２４】
上記交換レンズ鏡筒においては、内面にリブ等（孔でも良い）で形成した空気通路を有する保護カバー２６３によって開口部２６１ｂ若しくは前記撥水シート２６２が保護される。このため上記開口部２６１ｂが手指その他の物体により覆われたとしても、通気性が損なわれるおそれがない。また撥水シート２６２の損傷も防止できる。更に撥水シート２６２の押さえ部材としても利用できる。このため撥水シート２６２の接着固定が不要であるのは勿論、ビス止め等も不要となる。
【００２５】
［３］実施形態に示された交換レンズ鏡筒は、前記［２］に記載の交換レンズ鏡筒であって、
前記保護カバーは、前記枠部材２００に対し着脱自在に取付け可能であることを特徴とする。
【００２６】
上記交換レンズ鏡筒においては、必要に応じて、保護カバー２６３を取外すことにより、撥水シート２６２の交換ないしクリーニング等を随時、容易に行なえる。
【００２７】
［４］実施形態に示された交換レンズ鏡筒は、前記［１］又は［２］又は［３］に記載の交換レンズ鏡筒であって、
前記枠部材（２６０）は、前記レンズ鏡筒本体（１００，２００）の後端部に装着される後カバー部材２６０であることを特徴とする。
【００２８】
上記交換レンズ鏡筒においては、同交換レンズ鏡筒をカメラに装着して使用する際、カメラを保持するユーザーの手指等が、開口部２６１ｂを塞ぐ確率が極めて低いものとなる。
【００２９】
（変形例）
実施形態に示された交換レンズ鏡筒は、下記の変形例を含んでいる。
【００３０】
・防水機能付き通気手段を一個所にのみ設けたもの。
【００３１】
・撥水シート２６２を、開口部２６１ｂの内側、あるいは内側と外側の双方に装着したもの。
【００３２】
・撥水シートとして多孔性四フッ化エチレン樹脂製のシート（薄板）の代わりに、布に撥水処理を施した部材を用いたもの。この場合はレンズ鏡筒が防滴仕様として機能する。従って、より安価にユーザーに提供することができる。
【００３３】
・カメラ本体の裏蓋等に通気孔を穿設した態様のカメラに適用したもの。この場合には、カメラ本体側の通気孔に加え、レンズ鏡筒側にも更なる通気孔が加わることになる。このためレンズ鏡筒内のレンズの動きはより軽快となり、ズーム駆動用モータなどに対する負荷が大幅に軽減されることになる。
【００３４】
【発明の効果】
本発明によれば、通気用の開口部が手指その他の物体で塞がれる可能性が著しく低いものとなる上、撥水シートの交換が容易に実行可能となる。従って通気性を安定に確保できる交換レンズ鏡筒を提供できる。
【図面の簡単な説明】
【図１】本発明の第一実施形態に係る交換レンズ鏡筒の概略的な構成を示す斜視図。
【図２】本発明の第一実施形態に係る交換レンズ鏡筒の一部の構成を示す分解斜視図。
【図３】本発明の第一実施形態に係る交換レンズ鏡筒の他の一部の構成を示す分解斜視図。
【図４】本発明の第一実施形態に係る防水機能付き通気手段の構成を示す図で、（ａ）は後カバー部材を正面側から見た図、（ｂ）は（ａ）の４ｂ−４ｂ線矢視視断面図。
【符号の説明】
ＯＡ  光軸
１００  第一の枠部材
１１０〜１４０  １群レンズ〜４群レンズ
２００  第二の枠部材
２１０  前カバー部材
２２０  距離環
２３０  距離表示環
２４０  ズーム台環
２５０  ズーム環
２６０  後カバー部材
２７０  レンズマウント部材
２８０  厚み寸法調整用のスペーサ（カンザ）
２９０  カバー後枠
３０１〜３０５  第一〜第五のシール部材
３１０  防水部材
３２０  防水リング
【図１】
2005017376.tif 000003
【図２】
2005017376.tif 000004
【図３】
2005017376.tif 000005
【図４】
2005017376.tif 000006